(57)【特許請求の範囲】
【請求項１】
テープ７と当該テープ７の縁部に取り付けられた噛合エレメント１１とを有した一対の第１ストリンガー３と第２ストリンガー５と、夫々のストリンガー３，５の噛合エレメント１１が貫通するチャネル４７を有し、噛合エレメント１１に沿って滑動することができるスライダー３５とからなるスライドファスナー１であって、第１ストリンガー３は、スライダー３５を貫通してリリース止具１５が移動するのを妨げるために、チャネル４７の周囲に配されたフランジ４１と係合するリリース止具１５を有しており、スライダー３５に補足的な力が加わったときに、当該リリース止具１５は、スライダー３５を貫通して移動することができるように、第２ストリンガー５の噛合エレメント１１に対し枢動することを特徴とするスライドファスナー。
【請求項２】
前記スライダー３５は、周囲フランジ４１によってその一部が形成され、スライダー３５の上部にある分離壁体３９から離れたスライダー３５の下端部に首部領域４８を形成している二股状チャネル４７を有しており、前記リリース止具１５は、テープ７に取り付けられた止具本体１７と、止具本体１７から突出し、フランジ４１と係合する肩部２７とを有することを特徴とする請求項１に記載されたスライドファスナー。
【請求項３】
前記肩部２７は、分離壁体３９よりもスライダー３５の下端側の位置において、フランジ４１の内側壁４９と係合することを特徴とする請求項２に記載されたスライドファスナー。
【請求項４】
前記リリース止具１５は、当該リリース止具１５とこれと対向する噛合エレメント１１がスライダー３５の首部領域４８に進入した時に、第２ストリンガー５の対向する噛合エレメント１１の頭部３４を収容するための凹部３３を有していることを特徴とする請求項２に記載されたスライドファスナー。
【請求項５】
前記スライダー３５に補足的な力が加わり、肩部２７がスライダー３５のフランジ４１に沿って首部領域４８の方向に移動した時に、リリース止具１５が噛合エレメント１１の頭部３４を軸として回動することを特徴とする請求項４に記載されたスライドファスナー。
【請求項６】
前記凹部３３は、前記リリース止具１５の下端側に設けられた第１凹部３３ａと、前記リリース止具１５の上端側に設けられた第２凹部３３ｂとからなり、夫々の凹部３３ａ，３３ｂに第２ストリンガー５の噛合エレメント１１ａ，１１ｂの頭部３４を収容することを特徴とする請求項５に記載されたスライドファスナー。
【請求項７】
前記リリース止具１５と、これと対向する噛合エレメント１１ａ，１１ｂがスライダー３５の首部領域４８に位置している時に、第２凹部３３ｂの底部は、第１凹部３３ａの底部が第１対向噛合エレメント１１ａの頭部３４から離れているよりも、対向する第２対向噛合エレメント１１ｂの頭部３４から更に離れていること、及び、前記スライダー３５に補足的な力が加わり、肩部２７がスライダー３５のフランジ４１に沿って首部領域４８の方向に移動した時に、リリース止具１５が第１対向噛合エレメント１１ａの頭部３４を軸として回動することを特徴とする請求項６に記載されたスライドファスナー。
【請求項８】
前記テープ７は、その縁部に沿って芯部９を備えており、該芯部９には噛合エレメント１１が取り付けられており、前記芯部９は、肩部２７と対向する位置に設けられた凹部３３，３３ｂの底部において露出されていることを特徴とする請求項４又は５に記載されたスライドファスナー。
【請求項９】
リリース止具１５を備えているスライドファスナーであって、当該リリース止具１５は、スライドファスナーのスライダー３５が、リリース止具１５を越えて移動するときに対向する噛合エレメント１１と係合し、第１の方向において、対向する噛合エレメント１１とリリース止具１５の夫々の幅を合わせた幅が、スライダー３５がリリース止具１５を越えて移動するのを妨げるためスライダー３５のチャネル４７の幅よりも大きくなっていること、及び、補足的な力がスライダー３５に加わった時にスライダー３５がリリース止具１５を超えて移動することが出来るように上記の合わせた幅が減少するような方向になるように、リリース止具１５は噛合エレメント１１に対して枢動することを特徴とするスライドファスナー。
【請求項１０】
前記リリース止具１５の移動を妨げるため、リリース止具１５はスライダー３５のチャネル４７の周囲フランジ４１と係合することを特徴とする請求項９に記載されたスライドファスナー。
【請求項１１】
前記リリース止具１５の上端部３１は、スライダー３５の分離壁体３９を越えて移動するために、分離壁体３９の側面４５と対面する傾斜端面２１ａを有していることを特徴とする請求項１又は９に記載されたスライドファスナー。
【請求項１２】
通常時にファスナーを開口するためスライダー３５がファスナーに沿って下方に滑動する時に、リリース止具１５と隣り合う噛合エレメント１１の係合が確実に外れるようにするために、リリース止具１５の下端部３２は、スライダー３５の分離壁体３９の側壁４５と当接する突起部２５を有していることを特徴とする請求項１又は９に記載されたスライドファスナー。
【発明の詳細な説明】
【技術分野】
【０００１】  本発明は、スライドファスナーに関するものである。具体的に言うと、本発明は、スライドファスナーを開口することが出来るようにするために、スライダーが、スライダーの滑動を停止させるための止具を越えて移動することができるスライドファスナーに関するものである。
【背景技術】
【０００２】  従来のスライドファスナーは、一対のストリンガーからなり、夫々のストリンガーは、テープと、噛合エレメントと、当該噛合エレメントを係合したり外したりするために当該ストリンガーの噛合エレメントに沿って滑動することができるスライダーとからなっている。片方又は両方のストリンガーにおける噛合エレメントの上端部を越えてスライダーが移動するのを防止するために、ストリンガーの片方又は両方の上端部には上止具が配されている。噛合エレメントの上端部を超えてスライダーが移動してしまうと、噛合エレメントの係合がはずれ、二つのストリンガーが分離することになる。他方、補足的な力を加えることによって、ストリンガーの一方にある上止具を越えてスライダーを移動させ、ストリンガーを緊急に分離することが出来る方がよい場合もある。このような上止具を、”上方開口止具”（ｔｏｐ  ｏｐｅｎ）又は、リリース止具（ｒｅｌｅａｓｉｎｇ  ｅｎｄ  ｓｔｏｐ）と呼んでいる。【０００３】  通常の操作時には、リリース止具は、噛合エレメントを係合状態に維持するためにスライダーの更なる上方運動を邪魔する。スライダーを上方に移動するためにスライダーに大きな力が加わった場合には、スライダーの下に位置する噛合したエレメントを外すことによってスライドファスナーを緊急に開口することができるように、スライダーをリリース止具を越えて強制的に移動させる。この意味で、リリース止具は、スライドファスナーの移動を邪魔はしているが、防止はしてないということが出来る。リリース止具は、片方のテープのみに設けられることが好ましい。他のテープにおけるエレメントは、他のテープにスライダーを保持するためにリリース止具の高さを超えて延びているのである。テープが分離された後、ファスナーがいつものように再度閉鎖することができるように、スライダーは、他方のテープの最下端位置まで滑動して下げるのである。【０００４】  このような構成の一例が、米国特許公報ＵＳ−Ａ２８９４３０５号に開示されている。リリース止具を超えてスライダーが移動するのを防止するため、リリース止具は、対向するテープに設けられた協働するエレメントと当接するスプリング部材を備えている。スライダーに更なる力が加わったときには、止具とこれに協働するエレメントが協働して閉鎖し、スライダーがリリース止具を超えて移動することができるように、当該スプリングはたわむのである。【０００５】  英国特許公報ＧＢ−Ａ−１５１９３４０号は、対向するストリンガーに夫々取り付けられた一対の協働するリリース上止具を備えたスライドファスナーを開示している。一対の上止具の内の一方は実質的に環状であるので、上止具がスライダーのダイヤモンドによって押圧されたときに、上止具の一部は上止具を圧縮するように内側方向に曲折することができるようになっている。これと類似した構造が、日本国特許公報４１−２２０６５号及び台湾特許公報Ｍ２４５８０６号の中でも使用されている。これらの公報の夫々は、曲折可能又は変形可能な部分を有する一体的に形成されたリリース止具を開示しており、これらの曲折可能又は変形可能な部分が存在することにより、スライダーによって止具に適切な力が加わった際に止具が圧���され得る。
【特許文献１】米国特許ＵＳ−Ａ２８９４３０５号公報
【特許文献２】英国特許ＧＢ−Ａ−１５１９３４０号公報
【特許文献３】日本国特許４１−２２０６５号公報
【特許文献４】台湾特許Ｍ２４５８０６号公報
【発明の開示】
【発明が解決しようとする課題】
【０００６】  一般的にリリース止具は、本願の出願人によって商標ＶＩＳＬＯＮの下に製造されている製品と同様なプラスチックエレメントを射出成型したタイプのスライドファスナーに取り付けられているのである。噛合エレメントの適切な材料は、繰り返されるスライダーの滑動に晒される噛合エレメントの寿命を長くするために硬くて耐摩耗性の材料であることが好ましい。また、製造工程を簡素化するため、上止具についても噛合エレメントと同一の材料を使用することが好ましい。しかしながら、上止具を硬質材料で作ると、上止具の変形可能部分を変形可能にするために比較的薄肉に作らなければならないが、上止具自体が本質的に硬質であり曲折することが出来ないので、破断してしまう傾向があった。
従って、本発明の目的は、これらの問題を克服したリリース止具を提供することである。
【課題を解決するための手段】
【０００７】  前記目的を達成するために、請求項１に記載の発明は、テープと当該テープの縁部に取り付けられた噛合エレメントとを有した一対の第１ストリンガーと第２ストリンガーと、夫々のストリンガーの噛合エレメントが貫通するチャネルを有し、噛合エレメントに沿って滑動することができるスライダーとからなるスライドファスナーであって、第１ストリンガーは、スライダーを貫通してリリース止具が移動するのを妨げるために、チャネルの周囲に配されたフランジと係合するリリース止具を有しており、スライダーに補足的な力が加わったときに、当該リリース止具は、スライダーを貫通して移動することができるように、第２ストリンガーの噛合エレメントに対し枢動することを特徴とする。【０００８】  また、請求項２に記載の発明において、前記スライダーは、周囲フランジによってその一部が形成され、スライダーの上部にある分離壁体から離れたスライダーの下端部に首部領域を形成している二股状チャネルを有しており、前記リリース止具は、テープに取り付けられた止具本体と、止具本体から突出し、フランジと係合する肩部とを有することを特徴とする。【０００９】  また、請求項３に記載の発明において、前記肩部は、分離壁体よりもスライダーの下端側の位置において、フランジの内側壁と係合することを特徴とする。【００１０】  また、請求項４に記載の発明において、前記リリース止具は、当該リリース止具とこれと対向する噛合エレメントがスライダーの首部領域に進入した時に、第２ストリンガーの対向する噛合エレメントの頭部を収容するための凹部を有していることを特徴とする。【００１１】  また、請求項５に記載の発明において、前記スライダーに補足的な力が加わり、肩部がスライダーのフランジに沿って首部領域の方向に移動した時に、リリース止具が噛合エレメントの頭部を軸として回動することを特徴とする。【００１２】  また、請求項６に記載の発明において、前記凹部は、前記リリース止具の下端側に設けられた第１凹部と、前記リリース止具の上端側に設けられた第２凹部とからなり、夫々の凹部に第２ストリンガーの噛合エレメントの頭部を収容することを特徴とする。【００１３】  また、請求項７に記載の発明において、前記リリース止具と、これと対向する噛合エレメントがスライダーの首部領域に位置している時に、第２凹部の底部は、第１凹部の底部が第１対向噛合エレメントの頭部から離れているよりも、対向する第２対向噛合エレメントの頭部から更に離れていること、及び、前記スライダーに補足的な力が加わり、肩部がスライダーのフランジに沿って首部領域の方向に移動した時に、リリース止具が第１対向噛合エレメントの頭部を軸として回動することを特徴とする。【００１４】  また、請求項８に記載の発明において、前記テープは、その縁部に沿って芯部を備えており、該芯部には噛合エレメントが取り付けられており、前記芯部は、肩部と対向する位置に設けられた凹部の底部において露出されていることを特徴とする。【００１５】  また、請求項９記載の発明において、リリース止具を備えているスライドファスナーであって、当該リリース止具は、スライドファスナーのスライダーが、リリース止具を越えて移動するときに対向する噛合エレメントと係合し、第１の方向において、対向する噛合エレメントとリリース止具の夫々の幅を合わせた幅が、スライダーがリリース止具を越えて移動するのを妨げるためスライダーのチャネルの幅よりも大きくなっていること、及び、補足的な力がスライダーに加わった時にスライダーがリリース止具を超えて移動することが出来るように上記の合わせた幅が減少するような方向になるように、リリース止具は噛合エレメントに対して枢動することを特徴とする。【００１６】  また、請求項１０に記載の発明において、前記リリース止其の移動を妨げるため、リリース止具はスライダーのチャネルの周囲フランジと係合することを特徴とする。【００１７】  また、請求項１１に記載の発明において、前記リリース止具の上端部は、スライダーの分離壁体を越えて移動するために、分離壁体の側面と対面する傾斜端面を有していることを特徴とする。【００１８】  また、請求項１４に記載の発明において、通常時にファスナーを開口するためスライダーがファスナーに沿って下方に滑動する時に、リリース止具と隣り合う噛合エレメントの係合が確実に外れるようにするために、リリース止具の下端部は、スライダーの分離壁体の側壁と当接する突起部を有していることを特徴とする。
【発明の効果】
【００１９】  この発明は前記した構成からなるので、以下に説明するような効果を奏することができる。【００２０】  本発明では、テープと当該テープの縁部に取り付けられた噛合エレメントとを有した一対の第１ストリンガーと第２ストリンガーと、夫々のストリンガーの噛合エレメントが貫通するチャネルを有し、噛合エレメントに沿って滑動することができるスライダーとからなるスライドファスナーであって、第１ストリンガーは、スライダーを貫通してリリース止具が移動するのを妨げるために、チャネルの周囲に配されたフランジと係合するリリース止具を有しており、スライダーに補足的な力が加わったときに、当該リリース止具は、スライダーを貫通して移動することができるように、第２ストリンガーの噛合エレメントに対し枢動するので、リリース止具は、スライドファスナーの繰り返しの操作に適する硬質且つ耐摩耗性の材料で作ることができる。従って、リリース止具が操作の際に破断したり損傷したりする可能性は減少し、リリース止具の寿命を長くする。又、リリース止具を噛合エレメントと同一の材料で製造することができるので製造工程も簡素化することができる。
【実施例】
【００２１】  本発明を以下に示す添付図面を参考にして実施例に基づいて詳細に説明する。図１は、本発明の一実施例であって、スライドファスナーの上部のスライダーが省略された平面図である。図１に示すスライドファスナー１は、第１ストリンガー３と、第２ストリンガー５と、スライダー（図１においては図示せず。）とからなっている。夫々のストリンガー３，５は、その長さ方向一縁部にそって芯部９を備えたテープ７からなっており、芯部９はテープ７の表裏方向に膨大状に形成され、その芯部９を表裏から挟持する形に噛合エレメント１１が取り付けられている。【００２２】  この実施例においては、噛合エレメント１１は、ストリンガー３，５の芯部９に成型されており、適切な熱可塑性樹脂材料から形成されている。しかし、金属製のエレメントを使用することも出来る。スライドファスナー１のストリンガー３，５の下端部（図示せず。）は、当該技術分野において周知であるように、ストリンガー３，５が当初連結することができるように、夫々のテープ７に取り付けられた箱体と蝶棒とからなる開離嵌挿具構造を備えている。スライダーが第２ストリンガー５における噛合エレメント１１の列の下端に隣り合って設けられた箱体（図示せず。）と、噛合エレメント１１の上端に隣り合って設けられた従来型の上止具１３との間で移動することが出来るように、スライダーは、第２ストリンガー５の噛合エレメント１１に沿って滑動自在に取り付けられている。当該スライドファスナーは、分割可能なスライドファスナーであって、第１と第２のストリンガー３，５は、完全に分割することが出来るのである。第１と第２のストリンガー３，５は、当該技術分野において周知であるように、下端部において永久的に連結しておくことも出来る。【００２３】  第１ストリンガー３における噛合エレメント１１の列の上端に隣り合ってリリース止具１５が取り付けられている。リリース止具１５は、噛合エレメント１１と同様に、テープ７の芯部９を表裏から挟持する形に取り付けられており、噛合エレメント１１が金属製であってもプラスチック製のリリース止具が好ましいけれども、噛合エレメント１１と同一の材料で作られていることが好ましい。第１ストリンガー３におけるよりも第２ストリンガー５にはより多数の噛合エレメント１１が設けられており、これによって、図１からわかるように、スライドファスナー１が閉鎖されたときに、第２ストリンガー５には、リリース止具１５よりも上方に配置された多数の噛合エレメント１１が存在する。【００２４】  図２ａ及び図３ｂには、リリース止具１５が示されている。以下、リリース止具１５について詳細に説明することにする。リリース止具１５は、長尺で無垢の止具本体１７を有し、当該止具本体１７は、その第１側部１９に、止具本体１７の長さ方向に所定の間隔を空けて複数の突起部２１，２３，２５を設けて、各突起部２１，２３，２５間に凹部３３を形成している。そして、第１側部１９と対向する第２側部２９には、第２側部から側方へ向けて突出する肩部２７を設けている。リリース止具１５は、実質的に均一な厚みを有しており、この厚みは、噛合エレメント１１の厚みと同一である。【００２５】  止具本体１７の第１��部１９に設けられた第１の突起部２１は、止具本体１７の上端部３１に配されており、第２の突起部２５は、止具本体１７の下端部３２に配されている。他方、第３の突起部２３は、止具本体１７の第１側部１９の真ん中に配されている。これにより、凹部３３は、突起部２５と突起部２３との間に形成された第１凹部３３ａと、突起部２１と突起部２３との間に形成された第２凹部３３ｂとに分割されている。止具本体１７の第２側部２９に設けられた肩部２７は、止具本体１７の第１側部１９に設けられた突起部２１と同一の止具本体１７の上端部３１に配されている。肩部２７は、先端に肩部面２９ｂを有し、肩部面２９ｂと第２側部２９との間に、止具本体１７の下端部３２側から上端部３１側へ向けて上り傾斜した外側面２９ａを有している。【００２６】  図１に示されているように、リリース止具１５がスライドファスナー１の第１ストリンガー３に取り付けられているときは、突起部２１，２３，２５が形成されている止具本体１７の第１側部１９は外側に向いている、即ち、第１側部１９は、対向する第２ストリンガー５の方を向いており、止具本体１７の第２側部２９は、内側方向、即ち、第１側部１９とは反対側を向き、第１ストリンガー３のテープ７に亘って延びている。突起部２１，２３及び突起部２３，２５の間の凹部３３ａ、３３ｂは、対向する第２ストリンガー５の噛合エレメント１１の頭部３４と略同一のサイズであるので、噛合エレメント１１ａ，１１ｂの頭部３４は、図１に示されているように、突起部２１，２３，２５の間に形成された凹部３３ａ、３３ｂに収容され得る。【００２７】  “上”及び“下”並びに“上方”及び“下方”という文言は、スライドファスナー自体に関するものであり、説明を容易にするために当該技術分野において一般に使用されている記述的な文言であると理解されるべきである。ファスナーそれ自体は、いかなる方向でも使用することが出来る。【００２８】  突起部２３，２５の間に介在している止具本体１７の第１側部１９即ち凹部３３ａの底部１９ａは、突起部２１，２３の間に介在する止具本体の第１側部１９即ち凹部３３ｂの底部１９ｂを越えて対向する噛合エレメント１１の方向に突出している。従って、図１に示されているように、底部１９ａに対向するエレメント１１ａの頭部は、底部１９ａに当接するか又は近接するために凹部３３ａの中にぴったり嵌合される。噛合エレメント１１をテープ７に支持する芯部９が実質的に真っ直ぐであるので、底部１９ｂに対向するエレメント１１ｂ頭部は、凹部３３ｂに収容されるが、図１に見られるように、底部１９ｂからは離れている。更に、図１に示されているように、この具体的な実施例においては、第１ストリンガー３の芯部９は、突起部２１，２３の間において底部１９ｂから露出されている。【００２９】  図３は、スライドファスナー１に取り付けられたスライダー３５の一部を切り欠いた図面である。夫々のストリンガーのテープ７と芯紐９と、スライダー３５を滑動させる時に把持する引手を備えたスライダー３５の上翼部が省略されている。リリース止具１５は、スライダー３５がスライドファスナー１に沿って更に上方に移動するのを邪魔する際に、当該スライダー３は、最上位置に示されている。当該スライダー３５は、上下方向に間隔を空けて配置された上翼部と下翼部３７との前端部を分割壁体即ちダイヤモンド３９によって連結している。夫々の翼部３７の左右側縁部４３から対向する翼部３７の方向にフランジ４１が延びている。フランジ４１と分割壁体３９は、二股に分かれたチャネル即ちＹ字状のチャネル４７を形成しており、スライダー３５が噛合エレメント１１の列に沿って滑動されるにつれて、噛合エレメント１１は、このチャネルを通って移動するのである。テープ７は、上翼部と下翼部３７の対向するフランジ４１間の隙間を通ってチャネル４７から外方向に延びている。【００３０】  当該技術分野において周知であるように、チャネル４７は、スライダー３５の前端側に配置され、分割壁体３９の夫々の側部を通るチャネル部分４７ａ，４７ｂと、スライダー３５の後端側に配置され、左右のフランジ４１の内側を通る首部領域４８とを有し、首部領域４８において収束する。分割壁体３９は、スライダー３５の前端側から後端側へ向けて漸次幅寸法が減少した楔状部分３９ａを有する。また、左右のフランジ４１は、スライダー３５の前端側から後端側へ向けて漸次接近する方向へ内側に湾曲しながら傾斜する円弧状フランジ領域４１ａと、円弧状フランジ領域４１ａとスライダー３５の後端との間に配置され、スライダー３５の前後方向へ平行に延びる直線状フランジ領域４１ｂとを有している。【００３１】  スライダー３５が噛合エレメント１１の列に沿って上方に、即ち、スライドファスナー１を閉鎖する方向に移動するにつれて、夫々のストリンガー３，５の噛合エレメント１１は、分割壁体３９の側部を通過し、噛合エレメント１１が噛合する首部領域４８に突入し、対向する噛合エレメント１１の頭部３４が係合する。当該技術分野において周知であるように、スライダー３５が効率的に機能するためには、夫々の噛合エレメント１１を取り付けた夫々のテープ７の縁部が柔軟でなければならない。すなわち、当該テープ７の縁部は、対向する噛合エレメント１１の頭部３４が隣り合う頭部３４間に圧入することができるように、隣り合う頭部３４間のギャップが拡大できるほど十分に柔軟でなければならない。従って、チャネル４７は二股に分かれており、分割壁体３９よりもスライダー３５の後端側において、フランジ４１における円弧状のフランジ領域４１ａによって、チャネル４７ａ，４７ｂから首部領域４８まで円滑な移行領域が提供される。スライダーが上昇するにつれて、噛合エレメント１１はフランジ４１の内側壁４９に沿って滑動する。【００３２】  図３からわかるように、リリース止具１５の下端部３２がスライダー３５の首部領域４８に配された時に、リリース止具１５と噛合エレメント１１ａ，１１ｂが首部領域４８においてスライダー３５のフランジ４１によって互いが接近する方向に押圧されるので、第２ストリンガー５の対向する噛合エレメント１１ａ，１１ｂの頭部３４は、リリース止具１５の止具本体１７の第１側部１９に設けられた突起部２１，２３，２５の間に介在する凹部３３ａ，３３ｂに嵌合する。従って、首部領域４８における隣接する円弧状フランジ領域４１ａと、首部領域４８に存在する対向するエレメント１１ａとの間の係合によってリリース止具１５は方向付けられる。【００３３】  上止具１５の止具本体１７の第２側部２９に設けられた肩部２７は、分離壁体３９よりもスライダー３５の後端側に位置する円弧状のフランジ領域４１ａにおいて、首部領域４８を形成するためにチャネル４７の幅が狭くなり始めるフランジ４１の内側壁４９と当接する。肩部２７において、リリース止具１５の幅が拡大するので、リリース止具１５と対向するエレメント１１ｂの夫々の幅を合わせた幅が首部領域４８の幅よりも大きくなるので、リリース止具１５の姿勢がスライダー３５の前後方向に延びるＡ−Ａ軸と平行な姿勢になっている間、リリース止具１５と噛合エレメント１１ｂとがフランジ４１の円弧状フランジ領域４１ａを越えて首部領域４８に突入するために十分なスペースが無いということが理解される。【００３４】  図４は、スライダー３５がリリース止具１５を越えて強制的に移動するように、スライダー３５を上昇させるために十分な大きな力が加わった時において、リリース止具１５と対向している噛合エレメント１１ａ，１１ｂの位置を示している。スライダー３５に大きな力が加わった時に、肩部２７の外側面２９ａは、フランジ４１の内側壁４９に沿って滑動し、これによって、リリース止具１５の上端部がスライダーのＡ−Ａ軸の方向に更に移動し、リリース止具１５はテープ７の面上で回動する。この回動は、リリース止具１５が凹部３３ａに収容された第２ストリンガー５の噛合エレメント１１ａの頭部３４を中心軸として枢動することにより行われ、リリース止具１５は、肩部２９ａが円弧状フランジ部４１ａを通り抜け、リリース止具１５の下端部が首部領域を通ってスライダーの外に出るまで枢動し、その姿勢を変位させる。【００３５】  リリース止具１５が回動するにつれて、スライダー３５のＡ−Ａ軸に対して直交する横方向に測定したリリース止具１５と噛合エレメント１１ｂの夫々の幅を合わせた幅は減少する。従って、リリース止具１５が回動してスライダー３５のＡ−Ａ軸と平行な姿勢から変位した姿勢となるにつれて、リリース止具１５は、スライダー３５の首部領域４８を容易に通過することができ、これによって、スライダー３５は、リリース止具１５と対向する噛合エレメント１１ａ，１１ｂを越えて、スライダー３５のチャネル４７を貫通することが出来る。図４に示されているように、リリース上止具１５の突起部２１，２３の間に介在する凹部３３ｂに配された第２対向噛合エレメント１１ｂの頭部３４は、スペース３３ｂ内に更に挿入される。これによって、リリース上止具１５がテープ７の面上で回動するにつれて、第２対向噛合エレメント１１ｂの頭部３４は、リリース上止具１５の第１側部１９（即ち、図１における芯部９）と当接する。【００３６】  リリース止具１５と対向する噛合エレメント１１を超えてスライダー３５を移動させるために必要な力は、肩部２７のサイズと、テープ７と第１ストリンガー３の縁部に設けられた芯部９の弾力性によってきまる。テープ７と芯部９の弾力性によって、リリース止具１５は、フランジ４１の内側壁４９に押され、図４に示された位置まで移動される。リリース止具１５がスライダー３５の首部領域４８を���通して外されることが出来るかどうかは、リリース上止具１５の圧縮可能性というよりもむしろ、リリース止具１５がスライダーの内部で回動することを可能にするテープ７と芯部９の柔軟性による。これは、リリース止具１５は、スライドファスナーの繰り返しの操作に適する硬質且つ耐摩耗性の材料で作ることが出来ることを意味する。従って、リリース止具１５が操作の際に損傷する可能性は減少する。【００３７】  図１からわかるように、この実施例においては、芯部９の一部が突起部２１，２３の間においてリリース止具１５の止具本体１７の第１側部１９から突出している。芯部９のこの突出部分は、図４に示されているように、対向する噛合エレメント１１ｂの頭部３４が突起部２１，２３の間にある凹部３３ｂ内に押入された時に圧縮される。そして、この位置における芯部９の弾力性により、対向するエレメント１１ｂに付勢力が加えられる。別の実施例においては、芯部９は、突起部２１，２３の間のこの位置においては露出していないが、芯部９は、底部１９ｂにおいて、リリース止具１５内に包みこまれている。【００３８】  第２ストリンガー５のテープ７上にスライダー３５を保持し、リリース止具１５を越えてスライダー３５を引き続き上昇させることを容易にするために、噛合エレメント１１ｂよりも第２ストリンガー５の上端側の位置には、更に３つのエレメント１１ｃが設けられている。リリース止具１５は、スライダー３５が（芯部９の長さ方向に測定された）ひとつの噛合エレメントの長さ分だけリリース止具１５から外れることが出来る位置に位置付けられていることが好ましい。この位置付けは、３つの噛合エレメント１１ｃと、この噛合エレメント１１ｃよりも第２ストリンガー５の上端側に隣り合って取り付けられている上止具１３とによって行なわれる。第１ストリンガー３がスライダー３５から容易に外れることを確実にするため、リリース止具１５よりも第１ストリンガー３の上端側に配置された芯部９は、テープ７がスライダー３５の上翼部と下翼部３７の対向するフランジ４１間の隙間から容易に引き出せるように平坦にしておくか除去しておいてもよい。【００３９】  図３について簡単に述べるが、リリース止具１５の下端部３２に隣り合って配置された噛合エレメント１１の肩部は、リリース上止具１５の成型を容易にするために変形されているので、この噛合エレメント１１と係合する第２ストリンガー５の噛合エレメント１１ｄの頭部３４には、肩部と干渉し合わないようにするための切欠き５１が形成されている。【００４０】  図５ａ乃至図５ｄは、スライドファスナー１が開口する際、即ち、スライダー３５が図３に示された位置からストリンガー３，５に沿って下方に移動する際におけるスライダー３５の内部におけるリリース止具１５の位置を示す。スライダー３５のフランジ４１とスライダー３５の分離壁体３９によって形成された二股状のチャネル４７は、噛合エレメント１１がチャネル４７内に更に進入するにつれて、スライダー３５の後端部から入り込んだ噛合エレメント１１を分離するようにリリース止具１５と噛合エレメント１１ａ，１１ｂを誘導する。【００４１】  図１からわかるように、リリース止具１５の突起部２５は、リリース止具１５と隣り合う噛合エレメント１１の頭部３４ほどは芯部９から外方向に突出していない。ファスナーを開口する際に、二股状のチャネル４７を通って隣り合う噛合エレメント１１が円滑、且つ確実に走行できるようにするために、リリース止具１５の最下端の突起部２５は、十分な長さ延びていなければならない。これによって、当該突起部２５は、分離壁体３９の側面４５と当接した時に、リリース止具１５と他方の第２ストリンガー５に設けられた対向する噛合エレメント１１が、分離壁体３９の楔状部分３９ａを挟んで十分に分離し、その下にある噛合エレメント１１が分離する。【００４２】  図３に示されているように、スライダー３５を上方へ引き上げ、スライダー３５の滑動をリリース止具１５によって停止させた後に、使用者がスライダー３５を逆方向即ち下方へ引き下げたいと欲することも理解される。特に、リリース止具１５の上端部３１に設けられた突起部２１と、下端部３２に設けられた突起部２５は、スライドファスナー１を閉鎖するためスライダー３５を上方への移動させる際と、スライドファスナー１を開口するためスライダー３５を下方に移動させる際について、スライダーの円滑な操作を確実にするような形状になっている。従って、突起部２１，２５は、分離壁体３９がリリース止具１５を越えて下方に即ち開口方向に移動するのを助けるために、分離壁体３９の側面４５と対向する側の面に傾斜係合面２１ａ，２５ａが設けられ、分離壁体３９の側面４５に沿って滑動する。【００４３】  突起部２１，２５は、傾斜係合面２１ａ，２５ａを設けることにより、その先端に向けて先細状に形成されている。突起部２１の傾斜係合面２１ａは、リリース止具１５の上端部３１側に設けられ、突起部２５の傾斜係合面２５ａは、凹部３３側に設けられている。また、突起部２１の傾斜係合面２１ａは、突起部２５の傾斜係合面２５ａよりもより急激に傾斜しており、スライダー３５のＡ−Ａ軸に対してより小さい角度で交差する方向に延びていることが理解される。芯部９に対して約３０乃至５０度の角度が、好ましくは、３５乃至４５度の角度が、そしてもっと好ましくは、約４０度の角度が使用される。この角度は、噛合エレメント１１の頭部３４の頂点によって示される角度と類似の角度である。【００４４】  図６ａ及び図６ｂは、長さの短いリリース止具１５’を示している。第１実施例に示されているように、リリース止具１５は、スライダー３５のチャネル４７内でスライダー３５の前後方向に延びるＡ−Ａ軸と平行な姿勢に配されるように、二つ以上の噛合エレメント１１に亘って延びていることが好ましいけれども、長さの短いリリース止具１５’とともに本発明を実施することも出来ると信じている。芯部９とテープ７は、リリース止具１５’がフランジ４１に沿って滑動し、対向するエレメント１１ｂと係合する際に、スライダー３５のチャネル４７内でリリース止具１５’の方向付けをコントロールする機能をするのである。【００４５】  図７は、本発明を具現化したスライドファスナー１を取り付けた衣料品６０を示している。スライドファスナー１は、コートを着用するために上に示したように従来方法で操作される。コートを緊急に開口しなければなら���い場合には、スライドファスナー１のスライダー３５は、リリース上止具１５を越えて移動するように強制的に引き上げることができる。そして、スライドファスナー１の噛合エレメント１１は、コートを脱げるように緊急に引き離すことが出来る。このスライドファスナーは、バッグ、救命具のような他の物品にも使用できる。そして、緊急に開口する手段が必要とされる場合に、特に有益である。【００４６】  当該技術分野における当業者にとって、本発明に基づき色々な変形例が理解される。本発明は、ここに開示された発明の権利範囲に属する、全ての変形例を含む。
【図面の簡単な説明】
【００４７】
【図１】  図１は、本発明の一実施例であって、スライダーが省略されたスライドファスナーの平面図である。
【図２】  図２ａは、図１に示すスライドファスナーのリリース止具の平面図、図２ｂは、図２ａに示すリリース止具の斜視図である。
【図３】  図３は、図１の実施例において、リリース上止具がスライダーの上方向即ち閉鎖方向への運動を邪魔する際に、スライダーのチャネル内におけるリリース止具と噛合エレメントの状態を示す一部を切り欠いた部分説明図である。
【図４】  図４は、図１の実施例において、スライダーがリリース止具を強制的に越えて移動させられた際に、スライダーのチャネル内におけるリリース止具と噛合エレメントの状態を示す一部を切り欠いた部分説明図である。
【図５】  図５（ａ）、図５（ｄ）は、図１の実施例において、スライダーがスライドファスナーの下方向即ち開口方向に移動した際に、スライダーのチャネル内におけるリリース止具と噛合エレメントの状態を示す一部を切り欠いた部分説明図である。
【図６】  図６ａ、６ｂは、長さの短いリリース止具を備えた、図１乃至図５に示す実施例の変形例を開示した部分説明図である。
【図７】  図７は、本発明のスライドファスナーを取り付けた物品を示す説明図である。
【符号の説明】
【００４８】１      スライドファスナー
３      第１ストリンガー
５      第２ストリンガー
７      テープ
９      芯部
１１    噛合エレメント
１１ａ  第１対向噛合エレメント
１１ｂ  第２対向噛合エレメント
１３    上止具
１５    リリース止具
１７    止具本体
１９    第１側部
２１、２３、２５    突起部
２７    肩部
２９    第２側部
３１    上端部
３２    下端部
３３    凹部
３３ａ  第１凹部
３３ｂ  第２凹部
３４    頭部
３５    スライダー
３９    分割壁体
４１    フランジ
４７    チャネル
４８    首部領域
【図１】
0004660840.tif 000002
【図２】
0004660840.tif 000003
【図３】
0004660840.tif 000004
【図４】
0004660840.tif 000005
【図５】
0004660840.tif 000006
【図６】
0004660840.tif 000007
【図７】
0004660840.tif 000008